(57)【要約】      （修正有）【課題】難燃性で発光することができるのみならず、表面に任意のパターンを印刷して、点灯下及び暗闇下のいずれにおいても適切な案内等表示として簡易に適用する。【解決手段】難燃性蓄光積層体１０は、蓄光層１２と、この蓄光層１２の両面側に配置された難燃層１４、１６とを備えている。一方の難燃層１４は透過性を有すると共に、他方の難燃層１６は反射性を有する。透過性を有する難燃層１４の蓄光層１２側とは反対側の面には、インク又は溶剤を受容可能な透過性を有する印刷受容層１８が設けられている。【選択図】図１
2005007862.tif 000002
【特許請求の範囲】
【請求項１】
蓄光層と、前記蓄光層の両面側に配置された難燃層とを備えた難燃性蓄光積層体であって、前記難燃層のうち一方の難燃層は透過性を有すると共に他方の難燃層は反射性を有し、前記透過性を有する難燃層の前記蓄光層側とは反対側の面にインク又は溶剤を受容可能な透過性を有する印刷受容層を備えていることを特徴とする難燃性蓄光積層体。
【請求項２】
請求項１に記載された難燃性蓄光積層体であって、前記難燃層は自己発火点が３００℃以上であることを特徴とする難燃性蓄光積層体。
【請求項３】
請求項１又は請求項２のいずれかに記載された難燃性蓄光積層体であって、全体がシート状又はフィルム状に形成されていることを特徴とする難燃性蓄光積層体。
【請求項４】
請求項１乃至請求項３のいずれかに記載された難燃性蓄光積層体であって、前記印刷受容層は、水性又は油性のインクを受容してインクジェット印刷が可能であることを特徴とする難燃蓄光積層体。
【請求項５】
請求項１乃至請求項３のいずれかに記載された難燃性蓄光積層体であって、前記印刷受容層は、有機溶剤を受容してオフセット印刷、グラビア印刷、スクリーン印刷その他の有機溶剤系の印刷が可能であることを特徴とする難燃蓄光積層体。
【請求項６】
請求項１乃至請求項５のいずれかに記載された難燃性蓄光積層体であって、前記透過性を有する難燃層は、ポリエステルその他のオレフィン系樹脂から形成されていることを特徴とする難燃性蓄光積層体。
【請求項７】
請求項１乃至請求項６のいずれかに記載された難燃性蓄光積層体であって、前記反射性を有する難燃層は、ポリエステルその他のオレフィン系樹脂から成る白色の樹脂組成物から形成されていることを特徴とする難燃性蓄光積層体。
【請求項８】
請求項１乃至請求項６のいずれかに記載された難燃性蓄光積層体であって、前記反射性を有する難燃層は、ポリカーボネートとＡＢＳ樹脂から成る白色の樹脂組成物から形成されていることを特徴とする難燃性蓄光積層体。
【請求項９】
請求項１乃至請求項８のいずれかに記載された難燃性蓄光積層体であって、前記蓄光層は樹脂に放射性物質を含まない無機蓄光顔料を配合して形成されていることを特徴とする難燃性蓄光積層体。
【発明の詳細な説明】
【技術分野】
【０００１】
本発明は、平時における夜間や暗闇での案内表示としては勿論、特に、火災等の災害時における停電等による暗闇においても燃焼することなく避難誘導用の案内表示に適用することができる難燃性蓄光積層体の改良に関するものである。
【背景技術】
【０００２】
一般に、夜間や暗闇における案内表示や、災害等による停電時における暗闇における避難誘導用の案内表示に適用しうる素材として、蓄光シートが提案されていた。この蓄光シートとしては、従来、特に火災時等の災害時においても、燃焼することなく、避難誘導に使用することができるように、難燃性の材料を備えていることが多かった。
【０００３】
このような難燃性蓄光材料としては、具体的には、樹脂基材に難燃剤や蓄光剤を配合して形成された樹脂組成物の他、難燃層と蓄光層とを積層した難燃性シートとして提供されていた（例えば、特許文献１及び特許文献２参照）。
【０００４】
しかし、いずれの従来技術も、夜間や停電時において、蓄光剤又は蓄光層により発光はするものの、そのままでは単に発光するだけで、案内として適当な所定の模様乃至形状のパターンに発光させること、又は所定のパターンを表示することはできなかった。この場合、所定のパターンでの発光乃至は表示をさせるためには、難燃性蓄光シートの製造者において、所定の模様乃至形状のパターンで発光するように予め蓄光層を形成するか、又は、使用者において、蓄光させたい部分以外をマスキングして、所定の模様乃至は形状に発光させることが必要であった。
【０００５】
また、夜間や暗闇においてではなく、昼間や平常時の蛍光灯等の点灯下における案内表示として適用するためには、任意の模様や形状を表示できることが必要である。しかし、従来技術の難燃性蓄光シートでは、シートの表面に任意の表示を印刷することができず、やはり難燃性蓄光シートの製造者において、蓄光層自体を所定のパターンに形成して対応するか、所定のパターン部分以外をマスキングして対応するしかなく、対応に多大なコストを要する一方で表示としての多種多様なニーズに適切に応えることができなかったため、必ずしも案内等表示として適用するのには適していなかった。
【特許文献１】特開平１１−３４２３６号公報
【特許文献２】特開平１１−１３８７０９号公報
【発明の開示】
【発明が解決しようとする課題】
【０００６】
本発明が解決しようとする課題は、上記の問題点に鑑み、難燃性で発光することができるのみならず、表面に任意のパターンを印刷して、点灯下及び暗闇下のいずれにおいても適切な案内等表示として簡易に適用することができる難燃性蓄光積層体を提供することにある。
【課題を解決するための手段】
【０００７】
本発明は、上記の課題を解決するための第１の手段として、蓄光層と、この蓄光層の両面側に配置された難燃層とを備えた難燃性蓄光積層体であって、難燃層のうち一方の難燃層は透過性を有すると共に他方の難燃層は反射性を有し、透過性を有する難燃層の蓄光層側とは反対側の面にインク又は溶剤を受容可能な透過性を有する印刷受容層を備えていることを特徴とする難燃性蓄光積層体を提供するものである。
【０００８】
このように、表面にインク受容層を形成すると、難燃性蓄光積層体の表面に任意のパターン表示を簡易に印刷することができ、夜間又は暗闇において、当該印刷パターン部分のみがブランクとなって発光することができるため、当該光のブランク部分を伝達情報することにより夜間又は暗闇における案内表示として適切に適用することができるのは勿論のこと、昼間や点灯下においては、蓄光層による発光ではなく、当該印刷パターン自体を案内表示として適切に機能させることができると共に、事後的に任意のパターンを印刷することができるので、低コストで多種多様な案内等表示に適用することができる。
【０００９】
また、この場合、一方の難燃層は透過性を有するため、蓄光層による発光を適切に外部に放射することができる一方で、他方の難燃層は反射性を有するため、蓄光層による発光を効率的に外部に放射させることができると共に、印刷受容層は蓄光層から見て透過性を有する難燃層側に形成されているため、蓄光層による光の投射に対してマスキングとなって発光のブランク部分が夜間又は暗闇における案内用又は避難誘導用の表示として適切に機能することができる。
【００１０】
本発明は、上記の課題を解決するための第２の手段として、上記第１の解決手段において、難燃層は自己発火点が３００℃以上であることを特徴とする難燃性蓄光積層体を提供するものである。
【００１１】
本発明は、上記の課題を解決するために第３の手段として、上記第１又は第２のいずれかの解決手段において、全体がシート状又はフィルム状に形成されていることを特徴とする難燃性蓄光積層体を提供するものである。
【００１２】
このように、シート状又はフィルム状に積層すると、案内等表示として壁面等に容易に設置することができると同時に、省スペース化を図ることができる。
【００１３】
本発明は、上記の課題を解決するための第４の手段として、上記第１乃至第３のいずれかの解決手段において、印刷受容層は、水性又は油性のインクを受容してインクジェット印刷が可能であることを特徴とする難燃蓄光積層体を提供するものである。
【００１４】
このように、水性又は油性のインクを受容する印刷受容層として、インクジェット印刷を可能とすると、個人的、家庭的なプリンタは勿論のこと、業務用の大型のインクジェットプリンタによっても簡易に任意のパターンを印刷することができ、案内等表示としての求められる多種多様なニーズに適切に応えることができる。
【００１５】
本発明は、上記の課題を解決するための第５の手段として、上記第１乃至第３のいずれかの解決手段において、印刷受容層は、有機溶剤を受容してオフセット印刷、グラビア印刷、スクリーン印刷その他の有機溶剤系の印刷が可能であることを特徴とする難燃蓄光積層体を提供するものである。
【００１６】
このように、有機溶剤を受容する印刷受容層として、有機溶剤系の印刷を可能とすると、多種多様なパターンを簡易に大量に印刷して、多数の箇所に設置するのに適した案内等表示として適用することが容易となる。
【００１７】
本発明は、上記の課題を解決するための第６の手段として、上記第１乃至第５のいずれかの解決手段において、透過性を有する難燃層は、ポリエステルその他のオレフィン系樹脂から形成されていることを特徴とする難燃性蓄光積層体を提供するものである。
【００１８】
本発明は、上記の課題を解決するための第７の手段として、上記第１乃至第６のいずれかの解決手段において、反射性を有する難燃層は、ポリエステルその他のオレフィン系樹脂から成る白色の樹脂組成物から形成されていることを特徴とする難燃性蓄光積層体を提供するものである。
【００１９】
本発明は、上記の課題を解決するための第８の手段として、上記第１乃至第６のいずれかの解決手段において、反射性を有する難燃層は、ポリカーボネートとＡＢＳ樹脂から成る白色の樹脂組成物から形成されていることを特徴とする難燃性蓄光積層体を提供するものである。
【００２０】
本発明は、上記の課題を解決するための第９の手段として、上記第１乃至第８のいずれかの解決手段において、蓄光層は樹脂に放射性物質を含まない無機蓄光顔料を配合して形成されていることを特徴とする難燃性蓄光積層体を提供するものである。
【発明の効果】
【００２１】
本発明によれば、上記のように、表面にインク受容層を形成しているため、難燃性蓄光積層体の表面に任意のパターン表示を簡易に印刷することができ、夜間又は暗闇において、当該印刷パターン部分のみがブランクとなって発光することができるので、当該光のブランク部分を伝達情報することにより夜間又は暗闇における案内表示として適切に適用することができるのは勿論のこと、昼間や点灯下においては、蓄光層による発光ではなく、当該印刷パターン自体を案内表示として適切に機能させることができると共に、事後的に任意のパターンを印刷することができるので、低コストで多種多様な案内等表示に適用することができる実益がある。
【００２２】
また、この場合、一方の難燃層は透過性を有するため、蓄光層による発光を適切に外部に放射することができる一方で、他方の難燃層は反射性を有するため、蓄光層による発光を効率的に外部に放射させることができると共に、印刷受容層は蓄光層から見て透過性を有する難燃層側に形成されているため、蓄光層による光の投射に対してマスキングとなって発光のブランク部分が夜間又は暗闇における案内用又は避難誘導用の表示として適切に機能することができる実益がある。
【００２３】
本発明によれば、上記のように、難燃性蓄光積層体をシート状又はフィルム状に積層しているため、案内等表示として壁面等に容易に設置することができると同時に、省スペース化を図ることができる実益がある。
【００２４】
本発明によれば、上記のように、水性又は油性のインクを受容する印刷受容層として、インクジェット印刷を可能としているため、個人的、家庭的なプリンタは勿論のこと、業務用の大型のインクジェットプリンタによっても簡易に任意のパターンを印刷することができ、案内等表示としての求められる多種多様なニーズに適切に応えることができる実益がある。
【００２５】
本発明によれば、上記のように、有機溶剤を受容する印刷受容層として、有機溶剤系の印刷を可能としているため、多種多様なパターンを簡易に大量に印刷して、多数の箇所に設置するのに適した案内等表示として適用することが容易となる実益がある。
【発明を実施するための最良の形態】
【００２６】
本発明の実施の形態を図面を参照しながら詳細に説明すると、図１は、本発明の難燃性蓄光積層体１０を示し、この難燃性蓄光積層体１０は、図１に示すように、蓄光層１２と、この蓄光層１２の両面に配置された難燃層１４、１６とを備えている。この場合、蓄光層１２は、図１に示すように、その両面を難燃層１４、１６によって被覆されているため、火災時等においても燃焼することなく、適切に発光することができる。
【００２７】
これらの難燃層１４、１６のうち一方の難燃層１４は透過性を有すると共に、他方の難燃層１６は反射性を有する。従って、これらの難燃層１４、１６の間に配置された蓄光層１２は、透過性を有する難燃層１４を介して光を外部に適切に放射させることができると共に、この透過性を有する難燃層１４とは反対側に位置する反射性を有する難燃層１６に反射した光をも外部に放出することができ、夜間や暗闇において、光を効率的に放射させることができる。
【００２８】
この透過性を有する難燃層１４としては、難燃性及び透過性を有すれば特に限定はないが、例えば、難燃性のポリエステルその他のオレフィン系樹脂から形成することができ、具体的には、三菱化学ポリエステルフィルム株式会社製の難燃性ポリエステルフィルム等を使用することができる。なお、この透過性を有する難燃層１４は、本発明の難燃性蓄光積層体１０の設置箇所や用途によっても異なるが、充分な難燃性を確保しつつ光を確実に透過することができるように、約２５μｍ〜４０μｍ、特に３８μｍ程度に設定することが好ましい。
【００２９】
また、反射性を有する難燃層１６としても、反射性及び難燃性を有すれば特に限定はないが、例えば、白色の難燃性樹脂シート、特に、適切な難燃性及び反射性を発揮することができるため、ポリエステルその他のオレフィン系樹脂から成る白色の樹脂組成物から形成することが望ましい。このような樹脂組成物としては、具体的には、株式会社東レ製の難燃性白色ポリエステルである商品名「ルミラー」等を使用することができる。その他、ポリカーボネート（ＰＣ）とＡＢＳ樹脂から成る白色の樹脂組成物から形成することが望ましい。このような樹脂組成物としては、具体的には、信越ポリマー株式会社製のＰＣ／ＡＢＳカレンダーシートである商品名「ＳＥＰＣＡＬ」等を挙げることができる。なお、この反射性を有する難燃層１６は、充分な難燃性を確保することができるように、反射性を有する難燃層１４よりは厚く、設置箇所や用途に応じて、約５０μｍ〜約２００μｍ、特に、７６μｍ程度の厚みに設定することが好ましい。
【００３０】
なお、いずれの難燃層１４、１６も、通常では自己発火点が１８０℃程度であるポリエステル等の樹脂組成物を改良して、自己発火点を少なくとも３００℃以上、好ましくは、４８０℃程度に設定して、難燃層１４、１６とすることができる。
【００３１】
一方、蓄光層１２としては、長期間にわたって適切に発光作用を発揮することができれば、特に限定はないが、できるだけ蓄光性能が高く、かつ、特に火災時等においても有害物質を放出しないよう可燃性を有しない材料を使用することがが好ましく、例えば、樹脂に放射性物質を含まない無機蓄光顔料を配合して形成されている難燃剤から形成することが望ましい。このような難燃剤としては、例えば、日亜化学工業株式会社製の蓄光剤や、日本アブロード株式会社製の蓄光剤等を挙げることができる。
【００３２】
また、本発明の難燃性蓄光積層体１０は、図１に示すように、更に、透過性を有する難燃層１４の蓄光層１２側とは反対側の面に、インク又は溶剤を受容可能な透過性を有する印刷受容層１８を備えている。これにより、難燃性蓄光積層体１０の表面に任意のパターン表示を簡易に印刷することができ、夜間又は暗闇において、当該印刷パターン部分のみがブランクとなって発光することができるため、当該光のブランク部分を伝達情報することにより夜間又は暗闇における案内表示として適切に適用することができるのは勿論のこと、昼間や点灯下においては、蓄光層１２による発光ではなく、当該印刷パターン自体を案内表示として適切に機能させることができると共に、事後的に任意のパターンを印刷することができるので、低コストで多種多様な案内等表示に適用することができる。
【００３３】
また、この場合、図１に示すように、この印刷受容層１８は、蓄光層１２を中心として、透過性を有する難燃層１４側に形成されているため、蓄光層１２による光の投射に対してマスキングとなって発光のブランク部分が夜間又は暗闇における案内用又は避難誘導用の表示ととして適切に機能することができる。
【００３４】
この印刷受容層１８は、例えば、水性又は油性のインクを受容するものとすることができる。これにより、難燃性蓄光積層体１０の表面にインクジェット印刷が可能となり、個人的、家庭的なプリンタは勿論のこと、業務用の大型のインクジェットプリンタによっても簡易に任意のパターンを印刷することができ、案内等表示としての求められる多種多様なニーズに適切に応えることができる。
【００３５】
この場合、インクが染料系であれば、例えば、水溶性樹脂からインク受容層を形成することができる。また、顔料系のインクである場合には、インクを受容することができれば特に限定はなく、例えば、多孔性を有する接着層、より具体的には、例えば、シリカやアルミナ等の無職又は白色の多孔質フィラーを、アクリル樹脂、ポリエステル樹脂、エチレン酢酸ビニル共重合体ポリマー、ポリウレタン樹脂等の樹脂をバインダーとして、シート状又はフィルム状に形成したものを、用途等に応じて、また、透過性を有する難燃層１４との接着性を考慮して、適宜選択して使用することができる。いずれの場合の透過性を有する難燃層１４との密着性に充分に考慮する必要がある。
【００３６】
また、この印刷受容層１８は、その他、有機溶剤を受容するものとすることができる。これにより、オフセット印刷、グラビア印刷、スクリーン印刷その他の有機溶剤系の印刷が可能となり、多種多様なパターンを簡易に大量に印刷して、多数の箇所に設置するのに適した案内等表示として適用することが容易となる。なお、いずれの場合においても、印刷受容層１８も、蓄光層１２の発光を透過することができるように、透過性を付与して形成する。
【００３７】
次に、本発明の難燃性蓄光積層体１０の形成方法（各層の積層方法）については、特に限定はないが、一例を説明すると、まずフィルム状に形成された透過性を有する難燃層１４の一方の表面に、バインダを有する接着溶剤をはけ、ロール又は吹き付け等の適宜な方法で塗布して、透過性を有する難燃層１４の一方の面に印刷受容層１８を積層する。次いで、このフィルム状に形成された透過性を有する難燃層１４の他方の面に、蓄光剤を同様にして塗布して、蓄光層１２を形成する。なお、予め両面に図示しない易接着層を有する透過性を有する難燃層１４を使用して、この透過性を有する難燃層の１４の両面に、印刷受容層１８や蓄光層１２を積層することもできる。また、この場合、フィルム状の透光性を有する難燃層１４には、印刷受容層１８、蓄光層１２の形成順序は問わず、上記とは逆に、蓄光層１２を形成した後、印刷受容層１８を形成することもできる。いずれにしろ、印刷受容層１８、蓄光層１２のそれぞれが硬化した後に、他方の層の形成を行うことが望ましい。
【００３８】
一方、これとは別に、予めシート状の反射性を有する難燃層１６を用意し、図１に示すように、このシート状の反射性を有する難燃層１６を、接着剤２０を介して、上記蓄光層１２に接着し、難燃性蓄光積層体１０とすることができる。この場合、反射性を有する難燃層１６として、白色の難燃性ポリエステルを使用する場合には、難燃性蓄光積層体１０全体をドライラミネートして、また、ポリカーボネード（ＰＣ）とＡＢＳ樹脂から成る樹脂組成物を使用する場合には、難燃性蓄光積層体１０全体を加熱加圧して、シート状又はフィルム状の難燃性蓄光積層体１０とすることができる。なお、反射性を有する難燃層１６を、別途用意して最後に接着するのは、一般に反射性を確保するために用いらることが想定される樹脂、特に、ポリカーボネード（ＰＣ）等は、塗布のための溶剤に弱い性質を有することが多いためである。
【００３９】
なお、上記の例では、蓄光層１２は、透過性を有する難燃層１４の表面に蓄光剤を塗布することにより形成したが、必ずしもこれに限定されるものではなく、予め蓄光層１２としてフィルム状又はシート状に形成されたものを、接着層等を介して、透光性を有する難燃層１４や反射性を有する難燃層１６に接着することもできる。
【実施例１】
【００４０】
なお、上記形成方法において、反射性を有する難燃層１６として、厚さ７６μｍの難燃性白色ポリエステルシートを、また、透過性を有する難燃層１４として、厚さ３８μｍの難燃性ポリエステルフィルムを使用して、この透過性を有する難燃層１４としての難燃性ポリエステルフィルムに、蓄光剤を１１２．５μｍの厚みで塗布して、難燃性蓄光積層体１０としたところ、全体の厚みがμオーダーの非常に薄いシート状乃至はフィルム状の難燃性蓄光積層体１０とすることができた。このように、シート状又はフィルム状に積層すると、案内等表示として壁面等に容易に設置することができると同時に、省スペース化を図ることができる。
【実施例２】
【００４１】
同様に、上記形成方法において、反射性を有する難燃層１６として、厚さ２００μｍのＰＣ／ＡＢＳ樹脂シートを、また、透過性を有する難燃層１４として、厚さ２５μｍの難燃性ポリエステルフィルムを使用して、この透過性を有する難燃層１４としての難燃性ポリエステルフィルムに、蓄光剤を１１２．５μｍの厚みで塗布して、難燃性蓄光積層体１０としたところ、全体の厚みがμオーダーの非常に薄いシート状乃至はフィルム状の難燃性蓄光積層体１０とすることができた。
【産業上の利用可能性】
【００４２】
本発明は、平時における夜間や暗闇での案内表示としては勿論、特に、火災等の災害時における停電等による暗闇においても燃焼することなく避難誘導用の案内表示に適用することができ、例えば、特に、地下鉄の駅構内や地下街等の地下通路や、工場設備等に設置するのに適している。
【図面の簡単な説明】
【００４３】
【図１】本発明の難燃性蓄光積層体の概略分解側面図である。
【符号の説明】
【００４４】
１０  難燃性蓄光積層体
１２  蓄光層
１４  透過性を有する難燃層
１６  反射性を有する難燃層
１８  印刷受容層
【図１】
2005007862.tif 000003